(57)【要約】      （修正有） 【課題】重量があり、また重量バランスのよくない装飾旗であっても、安定的に傾斜保持することができて、安全に装飾目的を達成することのできる旗竿保持具を提供する。【解決手段】旗竿を傾斜保持可能な旗竿保持具Ｓであって、旗竿保持具Ｓは、実質的に中心部１に配置されて旗竿をその中央近傍で保持する上方保持部２と、中心部１の下方に配置されて旗竿をその下端近傍で保持する第１下端保持部６と、中心部１から放射状に延びて、かつ、上方保持部を中心として開閉して折り畳み可能な少なくとも５本の支持脚４とを有し、第１下端保持部６が、平面視において支持脚４のうちの１本である特定脚４ａと中心部１とを結ぶ直線上にずれて配置されている。【選択図】図１
0003159967.tif 000002
【実用新案登録請求の範囲】
【請求項１】
旗竿を傾斜保持可能な旗竿保持具であって、
該旗竿保持具は、
実質的に中心部に配置されて前記旗竿をその中央近傍で保持する上方保持部と、
前記中心部の下方に配置されて前記旗竿をその下端近傍で保持する第１下端保持部と、
該中心部から放射状に延びてかつ折り畳み可能とされた少なくとも５本の支持脚と、を有し、
前記第１下端保持部が、平面視において前記支持脚のうちの１本である特定脚と前記中心部とを結ぶ直線上にずれて配置されている旗竿保持具。
【請求項２】
前記支持脚のうち前記特定脚を含む３本は、平面視において前記中心部を中心とする正三角形の頂点に向けて各々実質的に１２０°の等角度間隔で放射状に延び、かつ、
他の支持脚のうち少なくとも２本の支持脚は、前記中心部において前記特定脚と為す中心角が平面視において実質的に６０°以下となるように前記特定脚の左右に放射配置されている請求項１に記載の旗竿保持具。
【請求項３】
前記中心部の鉛直下方に配置された第２下端保持部を更に有する請求項１又は請求項２に記載の旗竿保持具。
【請求項４】
前記第１下端保持部は、
前記特定脚と回転可能に直接連結され、かつ、
該連結部と異なる位置において、該特定脚との間で鎖状体を介して連結されている請求項１から請求項３のうちいずれか１項に記載の旗竿保持具。
【考案の詳細な説明】
【技術分野】
【０００１】
本考案は、旗竿保持具に係り、特に校旗、国旗や優勝旗等を装飾的に展示する際に、安定して傾斜保持することができて、転倒を防止することのできる旗竿保持具に関する。
【背景技術】
【０００２】
従来より、旗竿を保持するための保持具が数多く提案されている（例えば、特許文献１〜３を参照。）。これらによれば、校旗、国旗や優勝旗等の権威ある又は価値の高い旗を装飾的に展示する際に、旗が見易いように旗竿を傾斜保持することができる。
【先行技術文献】
【特許文献】
【０００３】
【特許文献１】実開平６−８７９９５号公報
【特許文献２】特開平７−１２９１０９号公報
【特許文献３】特開２００２−１４６３６号公報
【考案の概要】
【考案が解決しようとする課題】
【０００４】
しかしながら、一般に装飾展示する校旗、国旗や優勝旗等の格調が高く装飾性の高い旗は、大型のものが多く重量もかなり大きい。旗竿そのものの重量も大きいが、加えて旗布自体の重量や旗竿の先端に取り付ける装飾部材（いわゆる、冠頭）の重量もある。
【０００５】
また、旗布は、旗竿の先端から中央部にかけて取り付けられ、冠頭は旗竿の先端に取り付けられるので、全体として上部側の重量が大きく、装飾旗は一般的に重量バランスが悪い。そのため、旗竿を傾斜させるとバランスを崩し、転倒し易い。
【０００６】
上記各特許文献に開示のものは、いずれも旗竿を傾斜保持するものであるが、旗竿を傾斜させればさせるほど、旗布は広がるように垂下して見易くなるものの、バランスを崩して転倒し易くなる。重量物である装飾旗が転倒すれば、体裁の問題のみならず、危険な場合もある。
【０００７】
一方で、バランスよく旗竿を保持するには、略鉛直方向に真っすぐとなるよう旗竿を保持することが好ましいが、そうすると、旗布が畳まれるように垂下してしまって旗の模様が見え難くなり、装飾目的を満足することが難しい。
【０００８】
本考案は、上記の事情に鑑みて為されたもので、重量があり、また重量バランスのよくない装飾旗であっても、安定的に傾斜保持することができて、安全に装飾目的を達成することのできる旗竿保持具を提供することを例示的課題とする。
【課題を解決するための手段】
【０００９】
上記の課題を解決するために、本考案の例示的側面としての旗竿保持具は、旗竿を傾斜保持可能な旗竿保持具であって、旗竿保持具は、実質的に中心部に配置されて旗竿をその中央近傍で保持する上方保持部と、中心部の下方に配置されて旗竿をその下端近傍で保持する第１下端保持部と、中心部から放射状に延びてかつ折り畳み可能とされた少なくとも５本の支持脚と、を有し、第１下端保持部が、平面視において支持脚のうちの１本である特定脚と中心部とを結ぶ直線上にずれて配置されている。
【００１０】
上方保持部と第１下端保持部との２箇所で旗竿を保持するので、旗竿を傾斜保持することが可能である。中心部から放射状に延びた少なくとも５本の支持脚を有しており、この支持脚で旗竿保持具が転倒しないように支えるので、重量バランスの悪い旗竿であっても、安定的に傾斜保持することができる。また、第１下端保持部が特定脚と中心部とを結ぶ直線上にずれて配置されているので、装飾旗の重量を集中的に特定脚で支えることができる。したがって、その点においてもより安定感を増すことができる。
【００１１】
支持脚のうち特定脚を含む３本は、平面視において中心部を中心とする正三角形の頂点に向けて各々実質的に１２０°の等角度間隔で放射状に延び、かつ、他の支持脚のうち少なくとも２本の支持脚は、中心部において特定脚と為す中心角が平面視において実質的に６０°以下となるように特定脚の左右に放射配置されていてもよい。
【００１２】
特定脚を含む３本の支持脚で正三角形状に支えることで、まず、最小限の脚数で最も安定的に装飾旗の重量を支える。その上で、装飾旗の重量が集中的に加重される特定脚の近傍（中心角が実質的に６０°以下となる範囲）に他の（残りの）支持脚のうちの少なくとも２本を左右配置しているので、より一層安定感が増す。装飾旗が多少揺れたりぐらついたりしても、特定脚近傍の支持脚がしっかり支えるので転倒の心配が殆どない。
【００１３】
中心部の鉛直下方に配置された第２下端保持部を更に有してもよい。
【００１４】
第２下端保持部と上方保持部との２箇所で旗竿を支えることにより、旗竿を略鉛直方向に真っすぐ支えることができる。したがって、このような保持状態においては、極めて安定感が高く、転倒の心配が殆どない。
【００１５】
旗布の見栄えをよくしたい場合には、第１下端保持部を用いて傾斜保持し、旗布が多少折り畳まれてしまっても安定感を優先して保持したい場合には、第２下端保持部を用いて鉛直保持する、というように、状況に応じた使い分けをすることができる。
【００１６】
第１下端保持部は、特定脚と回転可能に直接連結され、かつ、連結部と異なる位置において、特定脚との間で鎖状体を介して連結されていてもよい。
【００１７】
第１下端保持部を支持脚と共に折り畳み可能とすることができて、輸送や持ち運びの際にコンパクトにすることができる。また、設置時には、鎖状体が第１下端保持部の床面への落下を防止し、空中保持及び位置安定性向上に寄与する。ここで鎖状体は、鎖、チェーン、紐、ロープ、バネや樹脂部材等の弾性体等を含む。
【００１８】
本考案の更なる課題又はその他の特徴は、以下添付図面を参照して説明される好ましい実施例によって明らかにされるであろう。
【考案の効果】
【００１９】
本考案によれば、重量があり、また重量バランスのよくない装飾旗であっても、安定的に傾斜保持することができて、安全に装飾目的を達成することのできる旗竿保持具を提供することができる。
【図面の簡単な説明】
【００２０】
【図１】本考案の実施の形態に係る旗竿保持具の全体構成を示す概略図であって、設置状態を示す図である。
【図２】本考案の実施の形態に係る旗竿保持具の全体構成を示す概略図であって、折り畳み状態を示す図である。
【図３】図１に示す旗竿保持具に装飾旗を傾斜保持した状態を示す図である。
【図４】図１に示す旗竿保持具に装飾旗を鉛直保持した状態を示す図である。
【図５】図１に示す旗竿保持具を上方から見た平面図である。
【考案を実施するための形態】
【００２１】
以下、本考案の実施の形態に係る旗竿保持具Ｓについて、図面を用いて説明する。図１及び図２は、本考案の実施の形態に係る旗竿保持具Ｓの全体構成を示す外観図である。図１においては設置状態（使用状態）を示しており、図２においては支持脚４を折り畳んだ折り畳み状態（不使用状態）を示している。また、図３は、この旗竿保持具Ｓに装飾旗（旗）Ａを傾斜保持した状態を示し、図４は、この旗竿保持具Ｓに装飾旗Ａを鉛直保持した状態を示す。
【００２２】
この旗竿保持具Ｓは、上方保持部２、支持脚４、第１下端保持部６、第２下端保持部８を有して大略構成されている。全体としては、カメラでの撮影等に使用する三脚様の形状を呈しているが、５本の支持脚４を有して構成されている。
【００２３】
上方保持部２は、装飾旗Ａの旗竿Ａ２における略中央近傍を保持するためのものである。上方保持部２は、図に示すように略ドーナツ形状とされてその中央部分に貫通孔が形成されており、その貫通孔部分に旗竿Ａ２を通して保持する。上方保持部２は、全体としてこの旗竿保持具Ｓの中心部１に位置している。
【００２４】
支持脚４は、この旗竿保持具Ｓ全体を支えて立位に保持するためのもので、中心部１から放射状に延びるように配置されている。そして、図２に示すように折り畳むことが可能とされており、折り畳み状態では輸送や持ち運びに便利となる。一方、開脚すると図１に示すように設置状態となり、旗竿保持具Ｓ及びそこに保持される装飾旗Ａを安定的に支える機能を発揮する。
【００２５】
この旗竿保持具Ｓは５本の支持脚４を有しており、その配置は図５に示すようになっている。図５は、この旗竿保持具Ｓを上方から見た平面図である。５本の支持脚４のうちの３本（４ａ〜４ｃ）は、平面視において中心部１から正三角形状に放射している。換言すれば、中心部１における相互の中心角が各々平面視略１２０°となるように配置されている。
【００２６】
一方、他の支持脚４ｄ，４ｅは、上記３本の支持脚４ａ〜４ｃのうちの特定の１本である特定脚４ａに対して、中心角が平面視略６０°となるように、左右に隣接して放射状に延びるように配置されている。これにより、装飾旗Ａの重量が特定脚４ａに集中してもこの３本の支持脚４ａ，４ｄ，４ｅが協働してその重量を分散負担するようになっている。また、装飾旗Ａが揺れたりぐらついたりした場合であっても、特定脚４ａに加えその両側の支持脚４ｄ，４ｅによって変動荷重が分散負担されるので、安定した保持ができるようになっている。
【００２７】
なお、特定脚４ａと隣接する支持脚４ｄ又は４ｅとの為す中心角は、６０°に限定するものではなく、実質的に６０°以下の範囲であれば安定感の増大に大きく貢献する。また、その範囲に３本以上の支持脚が配置されていてももちろんよい。
【００２８】
第１下端保持部６は、中心部１の下方に配置されて、旗竿Ａ２をその下端近傍で保持するためのものである。第１下端保持部６も上方保持部２と同様に略ドーナツ状とされてその中央部分に貫通孔が形成されている。この貫通孔に旗竿Ａ２を貫通させるか、又は旗竿Ａ２の下端が段付き形状となっている場合にはこの貫通孔にその段部を載せて旗竿Ａ２を保持する。
【００２９】
第１下端保持部６は、この旗竿保持具Ｓの平面視において、特定脚４ａと中心部１とを結ぶ直線Ｌ上に中心部１からずれて配置されている（図５参照）。したがって、第１下端保持部６と上方保持部２とによって旗竿Ａ２を保持した場合に、装飾旗Ａは、旗布Ａ３が特定脚４ａの略鉛直上方に位置するように傾斜するようになっている（図３参照）。
【００３０】
そのため、装飾旗Ａの重量の多くが特定脚４ａ側に集中して加重されるようになっている。しかしながら、特定脚４ａに隣接して支持脚４ｄ，４ｅが配置されているので、装飾旗Ａの重量を分散負担することができる。したがって、転倒等の懸念を低減することができ、装飾旗Ａを安定的に保持することができる。
【００３１】
この第１下端保持部６は、アーム部材１０の先端位置に配置されている。そのアーム部材１０は、特定脚４ａの下端近傍の連結位置５ａにおいて特定脚４ａに対して鉛直平面内において回転可能に直接連結されている。そのため、この旗竿保持具Ｓを折り畳む際には、アーム部材１０も共に折り畳むことができ、図２に示すように、全体的に細長くコンパクトなものとすることができる。輸送や持ち運びの際に、スペースを多く必要とせず、取扱いが容易である。
【００３２】
また、図１に示す設置状態においては、アーム部材１０の先端が床面に落下しないよう、アーム部材１０と特定脚４ａとはチェーン（鎖状体）１２を介して連結されている。チェーン１２の特定脚４ａへの係止位置５ｂは、アーム部材１０と特定脚４ａとの連結位置５ａよりも上方位置とされている。それにより、設置状態でも第１下端保持部６の空中保持及び位置安定性向上が図られるようになっている。
【００３３】
なお、アーム部材１０は、特定脚４ａ以外の他の支持脚４ｂ〜４ｅとも補助アーム部材によって連結され、第１下端保持部６の位置安定性向上に一層寄与している。
【００３４】
アーム部材１０には、設置状態における中心部１の略鉛直下方となる位置に、第２下端保持部８が形成されている。この第２下端保持部８も第１下端保持部６と同様に、略ドーナツ状とされて、旗竿Ａ２の下端を保持するものである。
【００３５】
この第２下端保持部８と上方保持部２とによって旗竿Ａ２を保持することにより、図４に示すように、装飾旗Ａを鉛直保持することもできるようになっている。したがって、旗布Ａ３を広げて装飾する必要がない場合、設置スペースに余裕がない場合など、より一層安定的に装飾旗Ａを保持したい場合には、第２下端保持部８を用いて装飾旗Ａを鉛直保持することもできる。
【００３６】
以上、本考案の好ましい実施の形態を説明したが、本考案はこれらに限定されるものではなく、その要旨の範囲内で様々な変形や変更が可能である。
【符号の説明】
【００３７】
Ａ：装飾旗（旗）
Ａ２：旗竿
Ａ３：旗布
Ｌ：直線
Ｓ：旗竿保持具
１：中心部
２：上方保持部
４，４ｂ〜４ｅ：支持脚
４ａ：特定脚
５ａ：連結位置
５ｂ：係止位置
６：第１下端保持部
８：第２下端保持部
１０：アーム部材
１２：チェーン（鎖状体）
【図１】
0003159967.tif 000003
【図２】
0003159967.tif 000004
【図３】
0003159967.tif 000005
【図４】
0003159967.tif 000006
【図５】
0003159967.tif 000007
【手続補正書】
【提出日】平成22年3月30日(2010.3.30)
【手続補正１】
【補正対象書類名】実用新案登録請求の範囲
【補正対象項目名】請求項１
【補正方法】変更
【補正の内容】
【請求項１】
旗竿を傾斜保持可能な旗竿保持具であって、  該旗竿保持具は、  実質的に中心部に配置されて前記旗竿をその中央近傍で保持する上方保持部と、  前記中心部の下方に配置されて前記旗竿をその下端近傍で保持する第１下端保持部と、  該中心部から放射状に延びてかつ前記上方保持部を中心として開閉することにより折り畳み可能とされた少なくとも５本の支持脚と、を有し、  前記第１下端保持部が、平面視において前記支持脚のうちの１本である特定脚と前記中心部とを結ぶ直線上にずれて配置されている旗竿保持具。
【手続補正２】
【補正対象書類名】実用新案登録請求の範囲
【補正対象項目名】請求項４
【補正方法】変更
【補正の内容】
【請求項４】
前記第１下端保持部は、  連結位置において前記特定脚と回転可能に直接連結され、かつ、  その連結位置と異なる位置において、該特定脚との間で鎖状体を介して連結されている請求項１から請求項３のうちいずれか１項に記載の旗竿保持具。